(57)【要約】【課題】表示面を斜め上方に向け、安定した自立状態で載置面に載置しておくことのできる立体樹脂容器を提供する。【解決手段】縦長平面形状を有する看板部１１の長手方向の一方の側に片寄った位置に、裏面側に突出するカップ部１２が設けられた立体樹脂成形部１３と、カップ部１２の開口１２ｃを覆って看板部１１の表面に貼着される表示用フィルム部材１４とからなる立体樹脂容器１０であって、看板部１１の下端辺部１１ａの少なくとも２点と、カップ部１２の底縁部分１２ｄの少なくとも１点を載置面に当接して少なくとも３点で支持させ、且つカップ部１２に収容された内容物の重量によって重心位置を下端部に保持した状態で、看板部１１の表面を斜め上方に向けて載置面に載置される。看板部１１の表面が載置面に対して４５〜８０度の角度で傾斜する。【選択図】図２
2008044638.tif 000002
【特許請求の範囲】
【請求項１】
縦長平面形状を有する看板部の長手方向の一方の側に片寄った位置に、裏面側に突出するカップ部が設けられた立体樹脂成形部と、前記カップ部の開口を覆って前記看板部の表面に貼着される表示用フィルム部材とからなる立体樹脂容器であって、
前記看板部の下端辺部の少なくとも２点と、前記カップ部の底縁部分の少なくとも１点を載置面に当接して、少なくとも３点で支持することにより前記看板部を立設させ、且つ前記カップ部に収容された内容物の重量によって重心位置を下端部に保持した状態で、前記看板部の表面を斜め上方に向けて載置面に載置される立体樹脂容器。
【請求項２】
前記看板部の表面が前記載置面に対して４５〜８０度の角度で傾斜するように、前記載置面に当接する前記看板部の下端辺部の少なくとも２点と、前記カップ部の底縁部分の少なくとも１点が配置される請求項１記載の立体樹脂容器。
【請求項３】
前記看板部の前記カップ部が設けられた長手方向の一方の側とは反対側の部分は、柄部を構成する請求項１又は２に記載の立体樹脂容器。
【請求項４】
前記看板部の表面に貼着される表示用フィルム部材の前記カップ部と前記柄部との境目部分に、切断誘導線が設けられている請求項３に記載の立体樹脂容器。
【請求項５】
前記柄部に前記看板部の長手方向に延設する剛性補強リブが設けられ、前記カップ部と前記柄部との境目部分に、前記看板部の長手方向と垂直な方向に延設する剛性補強凹状部が設けられる請求項３又は４に記載の立体樹脂容器。
【請求項６】
前記カップ部のカップ部の側周面に深さ方向に延設する剛性補強リブが設けられている請求項１〜５のいずれかに記載の立体樹脂容器。
【発明の詳細な説明】
【技術分野】
【０００１】
本発明は、立体樹脂容器に関し、特に、立体樹脂成形部に内容物を収容するカップ部が設けられたブリスター容器等の立体樹脂容器に関する。
【背景技術】
【０００２】
内容物を収容する凹部を有するように立体成形され、且つ表示部を備えることにより、内容物の能書が見えるようにしたり、デザイン性を高めて装飾効果を向上させた立体樹脂容器として、例えばブリスター容器が知られている（例えば、特許文献１、特許文献２参照）。
【０００３】
ブリスター容器は、プラスチックフィルム或いはプラスチックシートを用いて真空成形により立体成形した樹脂容器に内容物を入れ、樹脂容器の裏側の開口部分を、板紙、紙、アウミニウムはく等による蓋材で覆ってなるものである。またプラスチックフィルムやプラスチックシートとして透明なものを用いて樹脂容器を形成することにより、収容された内容物を直接視認できるようにすると共に、樹脂容器の裏側に取り付けた蓋材に描かれた能書や装飾を樹脂容器を通して見えるようにして、展示効果や装飾効果を高めることができるようになっている。さらに、樹脂容器や蓋材の端部に係止穴や係止切欠きを設けることより、販売時等において、ブリスター容器を吊り下げた状態で展示できるようになっている。
【特許文献１】特開２００５−１２６１４５号公報
【特許文献２】特開２００５−２４７３６３号公報
【発明の開示】
【発明が解決しようとする課題】
【０００４】
一方、ブリスター容器等の立体樹脂容器は、内容物の種類や使用目的等に応じて、種々の形態のものを開発することが要望されており、例えば種類や使用目的等をその形態からは容易に判別できない内容物を収容する容器の場合、表示面に描かれた能書や装飾によって、その種類や使用目的等を容易に判別できる展示形態を可能にする容器の開発が望まれている。特に、例えばホテル等の備品として用いられる、化粧品、毛髪料、口内洗浄剤、入浴剤等の液状や粉粒状の内容物を収容する使い捨て用の立体樹脂容器の場合、宿泊者等の利便性を鑑みて、内容物の種類、使用目的、使用方法等を一見して判別できるように、個々に自立状態で展示しておくことが望ましいが、従来のブリスター容器等の立体樹脂容器では、安定した状態で自立可能な形態を備えていないため、例えば表示面を斜め上方に向けて宿泊者等が見やすいように展示するためには、別途に展示台を用いる必要がある。
【０００５】
本発明は、表示面を斜め上方に向けた安定した自立状態で載置面に載置しておくことのできる立体樹脂容器を提供することを目的とする。
【課題を解決するための手段】
【０００６】
本発明は、縦長平面形状を有する看板部の長手方向の一方の側に片寄った位置に、裏面側に突出するカップ部が設けられた立体樹脂成形部と、前記カップ部の開口を覆って前記看板部の表面に貼着される表示用フィルム部材とからなる立体樹脂容器であって、前記看板部の下端辺部の少なくとも２点と、前記カップ部の底縁部分の少なくとも１点を載置面に当接して、少なくとも３点で支持することにより前記看板部を立設させ、且つ前記カップ部に収容された内容物の重量によって重心位置を下端部に保持した状態で、前記看板部の表面を斜め上方に向けて載置面に載置される立体樹脂容器を提供することにより、上記目的を達成したものである。
【発明の効果】
【０００７】
本発明の立体樹脂容器によれば、表示面を斜め上方に向けた安定した自立状態で載置面に載置しておくことができる。
【発明を実施するための最良の形態】
【０００８】
図１に示す本発明の好ましい一実施形態に係る立体樹脂容器は、例えばカップ部１２に内容物として液状の口内洗浄剤を収容する使い捨て用のブリスター容器１０であって、例えばホテルの備品として用いられ、宿泊者等が、内容物の種類、使用目的、使用方法等を容易に判別できるように、表示用フィルム部材１４による表示面１５を斜め上方に向けた安定した状態で、洗面台等の載置面に載置して展示可能な構成を備えるものである。
【０００９】
そして、本実施形態のブリスター容器１０は、図１及び図２（ａ）〜（ｃ）に示すように、縦長平面形状を有する看板部１１の長手方向の一方の側に片寄った位置に、裏面側に突出するカップ部１２が設けられた立体樹脂成形部１３と、カップ部１２の開口を覆って看板部１１の表面に貼着される表示用フィルム部材１４とからなる立体樹脂容器であって、看板部１１の下端辺部１１ａの少なくとも２点と、カップ部１２の底縁部分１２ｄの少なくとも１点を載置面に当接して、少なくとも３点で支持することにより前記看板部を立設させ、且つカップ部１２に収容された内容物の重量によって重心位置を下端部に保持した状態で、看板部１１の表面の表示面１５を斜め上方に向けて載置面に載置されるようになっている。
【００１０】
また、本実施形態では、看板部１１のカップ部１２が設けられた長手方向の一方の側とは反対側の部分は、ブリスター容器１０を把持するための柄部１６を構成しており、また看板部１１の表面に貼着される表示用フィルム部材１４のカップ部１２と柄部１６との境目部分１７に、ミシン目１８が切断誘導線として設けられている。
【００１１】
本実施形態では、看板部１１とカップ部１２とからなる立体樹脂成形部１３は、例えば厚さが７００μｍのポリエチレンテレフタレートからなるシートを真空成形や真空圧空成形により立体成形して形成されるものであり、図３（ａ），（ｂ）に示すように、看板部１１は、例えば横４６ｍｍ、縦１０３ｍｍ程度の大きさの、４方の角部が円弧状に面取りされた縦長の矩形平面形状を備えている。また看板部１１の長手方向の一方の側に片寄った位置に、看板部１１を裏面側に陥没突出させて、その側周面１２ａが底部１２ｂに向けて徐々に縮径する略切頭円錐ドラム形状のカップ部１２が一体成形されている。カップ部１２は、その看板部１１に沿った開口１２ｃが例えば直径３６ｍｍの円形形状を有すると共に、底部１２ｂが直径３０ｍｍの円形形状を有しており、例えば２５ｍｍ程度の深さで形成されて、例えば１５〜１９ｍＬの内容物を収容できるようになっている。側周面１２ａと底部１２ｂとの接合部分であるカップ部１２の底縁部分１２ｄは、その全周にわたって円弧断面形状に面取りされている。なお、カップ部１２において、開口１２ｃの周の一部を外側に例えば三角形状に突出させることで、注ぎ口を形成してもよい。
【００１２】
また、本実施形態では、ブリスター容器１０の柄部１６を構成する看板部１１のカップ部１２とは反対側の部分には、柄部１６の長手方向の変形剛性を高めるための複数の剛性補強リブ１９が、看板部１１の長手方向に延設して設けられており、カップ部１２と柄部１６との境目部分１７には、柄部１６の幅方向の変形剛性を高めるための剛性補強凹状部２０が、看板部１１の長手方向と垂直な方向に延設して設けられている。さらに、カップ部１２の側周面１２ａには、カップ部１２の変形剛性を高めるための複数の剛性補強リブ２１が深さ方向に延設して設けられている。
【００１３】
なお、看板部１１のカップ部１２に近接する角部分には、当該角部分を折り曲げて表示用フィルム部材１４の剥離を容易にする、半切れ線等による折り曲げ誘導線２２を設けておくことが好ましい。
【００１４】
カップ部１２の開口１２ｃを覆って看板部１１の表面に貼着される表示用フィルム部材１４は、例えば例えば厚さが８０μｍのアルミラミネートフィルムからなり、図１及び図２（ａ）〜（ｃ）に示すように、看板部１１の縦長の矩形平面形状と同じ形状に裁断される。また表示用フィルム部材１４は、例えば１〜４ｍｍ程度のシール幅の熱シール溶着により、看板部１１の表面の全体に重ねて貼着されて、ブリスター容器１０の表示面１５を形成する。
【００１５】
表示用フィルム部材１４は、例えば柄部１６に重ねて貼着される略上半部分がデザイン面１５ａとなっていて、商品名等が各種の装飾と共に描かれることにより、ブリスター容器１０の装飾効果や展示効果を高めることが可能になる。また例えば主としてカップ部１２に重ねて貼着される略下半部分が能書面１５ｂとなっていて、内容物の使用方法や成分、注意事項等を容易に読み取ることができるようになっている。
【００１６】
さらに、表示用フィルム部材１４のデザイン面１５ａと能書面１５ｂとの境目には、カップ部１２と柄部１６との境目部分１７に位置してミシン目１８が設けられている。ブリスター容器１０に内容物として収容された例えば液状の口内洗浄剤の使用時には、カップ部１２の開口１２ｃを覆った部分の表示用フィルム部材１４を看板部１１から剥離した後に、ミシン目１８を介して能書面１５ｂの部分を切り取って除去することにより、例えば口内洗浄剤を口に注ぐ際に、表示用フィルム部材１４が邪魔にならないようにすることができる。カップ部１２と柄部１６との境目部分１７にミシン目１８を設けたことで、表示用フィルム用部材１４を取り除くとき柄部１６においては表示用フィルム部材１４を残存させることができ、柄部１６全体の剛性を維持することができる。なお、ミシン目１８を設けず、表示用フィルム部材１４全体を剥がして使用してもよい。
【００１７】
上述の構成を有する本実施形態のブリスター容器１０は、その使用前の展示時に、図１及び図４に示すように、看板部１１の下端辺部１１ａの少なくとも２点と、カップ部１２の底縁部分１２ａの少なくとも１点を載置面に当接して、少なくとも３点で支持することにより看板部１１を立設させ、且つカップ部１２に収容された内容物の重量によって重心位置を下端部に保持した状態で、看板部１１の表面の表示面１５を例えば７０度の角度で斜め上方に向けて載置面に載置する。
【００１８】
ここで、看板部１１の下端辺部１１ａの少なくとも２点が載置面に当接するとは、下端辺部１１ａが当接辺として直線状に連続して載置面に接触する形態も含むものであり、この場合には、下端辺部１１ａの両側の端部が載置面に当接する少なくとも２点を構成することになる。
【００１９】
また、看板部１１を立設状態で支持する看板部１１の下端辺部１１ａの少なくとも２点と、カップ部１２の底縁部分１２ａの少なくとも１点は、看板部１１の表面が載置面に対して４５〜８０度の角度で傾斜するように配置することが好ましい。表面が載置面に対して４５〜８０度の角度で傾斜するように看板部１１を立設させることにより、ブリスター容器１０のディスプレー効果が向上し、スタンディング仕様として適正な設定とすることが可能になる。
【００２０】
そして、本実施形態のブリスター容器１０によれば、表示面１５を斜め上方に向け、安定した自立状態で載置面に載置しておくことができる。すなわち、本実施形態によれば、看板部１１の下端辺部１１ａの少なくとも２点と、カップ部１２の底縁部分１２ａの少なくとも１点を載置面に当接して、少なくとも３点で支持することにより、表示用フィルム部材１４によって覆われた看板部１１の表示面１５を、使用者が見易い斜め上方に向け状態に保持しておくことが可能になると共に、カップ部１２に収容された内容物の重量によって重心位置を下端部に保持することにより、安定した自立状態で看板部１１の表示面１５を立設させておくことが可能になる。
【００２１】
また、本実施形態のブリスター容器１０によれば、図５に示すように、カップ部１２の底部１２ｂを載置面に載置することにより、内容物の重量によって柄部１６が水平な状態を保持することになり、柄部１６を把持し易くなって容器１０の取り扱いが容易になる。
【００２２】
なお、本発明は上記実施形態に限定されることなく種々の変更が可能である。例えば、看板部は、縦長の矩形平面形状を備えている必要は必ずしもなく、その他の縦長の平面形状を有するものであっても良い。また、表示用フィルム部材は、看板部と同じ大きさや形状を備えている必要は必ずしもなく、看板部より小さかったり、一部を看板部からはみだして貼着されていても良い。さらにまた、本発明の立体樹脂容器は、真空成形や真空圧空成形によって立体樹脂成形部が形成されたブリスター容器である必要は必ずしもなく、その他に成形方法によって形成された立体樹脂容器であっても良い。
【図面の簡単な説明】
【００２３】
【図１】本発明の好ましい一実施形態に係る立体樹脂容器の立設状態の斜視図である。
【図２】本発明の好ましい一実施形態に係る立体樹脂容器の、（ａ）は表示用フィルム部材を貼着する前の状態の斜視図、（ｂ）は表示用フィルム部材を貼着した状態の斜視図、（ｃ）は表示用フィルム部材の能書面を切り取った仕様状態の斜視図である。
【図３】（ａ）は立体樹脂成形部の平面図、（ｂ）は立体樹脂成形部の底面図である。
【図４】本発明の好ましい一実施形態に係る立体樹脂容器の立設状態の側面図である。
【図５】本発明の好ましい一実施形態に係る立体樹脂容器の水平に載置した状態の側面図である。
【符号の説明】
【００２４】
１０  ブリスター容器（立体樹脂容器）
１１  看板部
１１ａ  看板部の下端辺部
１２  カップ部
１２ａ  カップ部の側周面
１２ｂ  カップ部の底部
１２ｃ  カップ部の開口
１２ｄ  カップ部の底縁部分
１３  立体樹脂成形部
１４  表示用フィルム部材
１５  表示面
１５ａ  デザイン面
１５ｂ  能書面
１６  柄部
１７  カップ部と柄部との境目部分
１８  ミシン目（切断誘導線）
１９  剛性補強リブ
２０  剛性補強凹状部
２１  剛性補強リブ
２２  折り曲げ誘導線
【図１】
2008044638.tif 000003
【図２】
2008044638.tif 000004
【図３】
2008044638.tif 000005
【図４】
2008044638.tif 000006
【図５】
2008044638.tif 000007